【事件の表示】
　昭和６３年特許願第２９３７１２号「筆記具被覆体および被覆体の移動止め構造」拒絶査定に対する審判事件〔平成　２年　５月３０日出願公開、特開平　２−１４１２９５、平成　７年　３月　８日出願公告、特公平　７−　２０７５２、請求項の数（4）〕について、次のとおり審決する。
【結　論】
　原査定を取り消す。
　本願の発明は、特許すべきものとする。
【理　由】
１．手続の経緯・本願発明　
　本願は、昭和６３年１１月２２日の出願であって、その発明は、公告後の平成１０年１２月１６日付けの手続補正により補正された明細書及び図面の記載からみて、その特許請求の範囲の請求項１〜４に記載されたとおりのものと認められる。　
「【請求項１】筆記具の軸心に着脱自在に装着された状態での外径が１０.５〜１４.３mmであり、ショアーＡ硬度が４０〜６０度で、指に対する接触面積の拡大に有効な弾性変形を行う厚みをもつゴム又は合成樹脂からなる軟質弾性物質でできた筆記具被覆体。
　【請求項２】肉厚が１〜３mmである請求項１に記載の筆記具被覆体。　
　【請求項３】シリコンゴムからなる請求項１又は２に記載の筆記具被覆体。
　【請求項４】筆記具の軸心に着脱自在に装着された請求項１〜３の何れかに記載の筆記具被覆体の先端側及び後端側でそれぞれ前記軸心に装着された先端芯体押え及び後端芯体押えからなり、前記先端芯体押え及び前記後端芯体押えは、前記筆記具被覆体側の端部外径が前記被覆体の外径に等しくなっている被覆体の移動止め構造。」
　なお、上記平成１０年１２月１６日付け手続補正に関して、重森幹成は、上申書を提出して、同補正の請求項１及び４に加入された「着脱自在」なる構成は、出願当初の明細書及び図面にも出願公告された明細書及び図面にも記載されていない事項であり、この補正は、特許法第１７条の３第１項第１〜３号のいずれの規定を満たすものではないと共に特許法第１７条の３第２項で準用する同法第１２６条第２項の規定に違反するから、同法第５４条の規定により却下されるべきものである旨主張する。しかしながら、明細書の作用の欄には「少量の水等の潤滑剤を塗布したのち被覆体１に差し込み、その先端は先端芯体押え７、後端芯体押え８を装着することにより被覆体１のズレを防止することが出来る。」（公報第３頁第５欄２２〜２５行）と記載されている点からみて、接着剤を塗布するか、又は先端芯体押え７と後端芯体押え８を装着することにより被覆体１とペン体５のズレ（移動）をふせいでいるものであるので、ズレを防ぐための処理を行わないものであれば、被覆体１がペン体５に対して移動可能であることは自明な事項であると認められる。また、「本発明の筆記具被覆体をボールペン等に被覆するに際しては、あらかじめ幾種類か用意してある被覆体のうち、使用しようとするペン軸の経にあった被覆体１の内側又はペン体に、少量の水を塗布し、被覆体１の後端からペン軸の先端を先頭にして差し込む。」（公報第３頁第５欄１６〜２０行）とあるように、被覆体１をペン体５に差し込むことが記載されており、第１、２図を参照すれば、このように差し込むことが出来るものは、はずすことも可能であると認められる。そして、このように被覆体１がペン体５に対して移動可能であり、着脱が出来ることを、着脱自在と表現したと認められる上記補正は、出願公告された明細書及び図面の記載から自明な事項の範囲内のものであるので、該上申書の主張は採用することができない。
２．引用例　
　原査定の拒絶の理由となった特許異議の決定の理由において引用された「旬刊ステイショナー」、昭和６１年１月１５日発行、第７８３号、（６）頁（以下、「引用例１」という。）及び「実開昭６１−１２８０８４号公報」（以下、「引用例２」という。）、並びに、ゴム及びエラストマーに関する文献として引用された「ゴム・エラストマー活用ノート」、山下晋三、小松公栄監修、初版、株式会社工業調査会、昭和６０年１２月１０日発行、１１８〜１２１頁（以下、「引用例３」という。）には、下記の事項が記載されている。
　引用例１
　見出しの、市場開拓へ「筆記遊具」、ＺＯＯＭシリーズを発売、トンボ鉛筆、超薄型シャープなど、と共に、「極太水性ボールペンは、全長１４０ミリ、軸径１３．８ミリ、太さの利点を最大限に利用したのが特徴で、キャップ式水性ボールペンに不可能だったラバーグリップが使用できた。キャップの中に収まるラバーグリップは業界で初めて。疲れにくく、持ちやすく、しかも、筆記時に指先に伝わる振動を吸収し、水性ボールペンの滑らかな書き味をさらにアップ。」（上から４欄９〜２２行）、の記載がある。
　また、上から１〜３欄には、上記の極太水性ボールペン（左）と薄型シャープの写真が掲載されている。
　これらによれば、引用例１には、「疲れにくく、持ちやすく、しかも、筆記時に指先に伝わる振動を吸収する、全長１４０mm、軸径１３．８mmの極太水性ボールペンの軸心に装着されたラバーグリップ」、が記載されていると認められる。
　引用例２
　筆記具の滑り止め構造に関して、「ボールペン、シャープペンシルその他の筆記具の軸部の一部又は全長に該軸部よりやや太径に形成したシリコンゴム製のチューブを遊嵌し、該チューブを表側から加熱することにより該チューブを軸部に密着させることを特徴とする筆記具の滑り止め構造。」、が記載されている。
　引用例３
　フェニルーメチルシリコーンゴムの用途として「コーティング用、Ｏリング、オイルシール、各種チューブ、シ−リング剤、接着剤など」（１１８頁）、その原料ゴムとして「硬さ（ショアＡ）２５〜８０」（１１９頁）、又、ふっ化シリコーンゴムの用途として「軍需用、自動車部品、工業用特殊用途など」（１２０頁）、その配合ゴムとして「硬さ（ショアＡ）４０〜６０」（１２１頁）、が記載されている。
３．対比・検討
　以下、原審において拒絶査定の対象となった請求項１及び３に係る発明について対比・検討する
１）請求項１に係る発明について
　まず、引用例１について検討すると、引用例１記載の「ラバーグリップ」は、請求項１に係る発明の「ゴムからなる軟質弾性物質でできた筆記具被覆体」に相当し、「疲れにくく、持ちやすく、しかも、筆記時に指先に伝わる振動を吸収する」との記載及びそのラバーグリップの使用態様を勘案すれば、引用例１記載の筆記具被覆体が弾性変形を行うものであると認められるものの、上記引用例１記載の発明における軸径（１３.８mm）は、請求項１に係る発明のように被覆体が筆記具の軸心に着脱自在に装着された状態での外径であるか否か不明であり、しかも、ショアＡ硬度が４０〜６０度であるのか、また、指に対する接触面積の拡大に有効な弾性変形を行う厚みをもつものであるのか不明である。
　次に、引用例２について検討すると、引用例２記載の「シリコンゴム製のチューブ」は、請求項１に係る発明の「ゴムからなる軟質弾性物質でできた筆記具被覆体」に相当すると認められ、該軟質弾性物質でできた筆記具被覆体が、その使用態様からみて、弾性変形を行うものであると認められるものの、上記引用例２記載の筆記具被覆体は、加熱により密着された状態のものであって着脱自在に装着された状態のものではなく、その筆記具の軸心に装着された状態での外径、及びゴムからなる軟質弾性物質の硬度（ショアＡ硬度）も明らかにされていない。そして、請求項１に係る発明のショアーＡ硬度の値は、引用例３に示すシリコンゴムのショアーＡ硬度の範囲内のものであるとしても、引用例２に記載されるシリコンゴムがその値をとるものと言うことはできず、また、引用例２記載の発明の筆記具被覆体が、請求項１記載の発明のような指に対する接触面積の拡大に有効な弾性変形を行う厚みをもつものであるとすることもできない。　
　そうしてみると、引用例１〜３には、請求項１に係る発明の構成の一部が記載され或いは示唆されているとしても、軟質弾性物質でできた被覆体を筆記具に装着することにより、指があたる接触面積を大きくすると共に把持部の摩擦抵抗を大きくして把持力を低減し、筆記作業時の疲労を軽減することを目的として「筆記具の軸心に着脱自在に装着された状態での外径が１０.５〜１４.３mm」であり、「ショアーＡ硬度が４０〜６０度」で、「指に対する接触面積の拡大に有効な弾性変形を行う厚みをもつ」とする各構成要件を組み合わせることは、記載され或いは示唆されていないため、引用例１〜３をどのように組み合わせたとしても、請求項１に係る上記構成要件の組み合わせは容易に導き出すことは出来ないというべきである。　
　そして、請求項１に係る発明は、第４図及び「第４図に示すように、把持力が強い人の場合32％、把持力が稍強い人の場合は10％の把持力低減効果がある」（公報第４欄３５〜３７行）の記載からみて、比較的把持力が強い人にその効果があるものと認められる。
　したがって、請求項１に係る発明は、引用例１〜３に記載の発明に基づき当業者が容易に発明することができたものとすることはできない。　
２）請求項３に係る発明について　
　請求項３に係る発明は、請求項１に係る発明を引用するものである（請求項３の引用する請求項２も請求項１を引用している）から、上記請求項１に係る発明で検討したと同様の理由により、引用例１〜３記載の発明に基づき当業者が容易に発明することができたものとすることはできない。
４．むすび      
　以上のとおりであるから、本願の請求項１、３に係る発明は、いずれも引用例１〜３記載の発明に基づいて当業者が容易に発明することができたものとすることはできない。
　また、他に本願を拒絶すべき理由を発見しない。
　よって、結論のとおり審決する。